(57)【要約】【課題】情報端末から照明制御システムを制御可能な状態にすることを容易に行うことができる照明制御用通信装置を提供する。【解決手段】照明制御用通信装置１０は、無線端末である情報端末２００と通信する第１通信部１１と、照明制御システム１００と通信する第２通信部１２とを備え、第１通信部１１が所定の情報を情報端末２００から受信した状態において、第２通信部１２が照明制御システム１００における所定の操作部への操作に応じた制御情報に基づいた信号を照明制御システム１００から受信したとき、第１通信部１１は、所定の操作部を特定するための情報を情報端末２００へ出力する。【選択図】図１
2019204638.tif 000002
【特許請求の範囲】
【請求項１】
無線端末である情報端末と通信する第１通信部と、
照明制御システムと通信する第２通信部と、を備え、
前記第１通信部が所定の情報を前記情報端末から受信した状態において、前記第２通信部が前記照明制御システムにおける所定の操作部への操作に応じた制御情報に基づいた信号を前記照明制御システムから受信したとき、前記第１通信部は、前記所定の操作部を特定するための情報を前記情報端末へ出力する、
照明制御用通信装置。
【請求項２】
前記所定の操作部を特定するための情報は、前記照明制御システムにおける所定の制御対象と関連付けられた情報である、
請求項１に記載の照明制御用通信装置。
【請求項３】
前記第１通信部が前記所定の操作部を特定するための情報を出力した後において、前記第１通信部が前記情報端末から前記所定の操作部を特定するための情報を含む情報を受信したとき、前記第２通信部は、前記照明制御システムに対して、前記所定の操作部を特定するための情報に基づいた情報を出力する、
請求項１または２に記載の照明制御用通信装置。
【請求項４】
前記第１通信部は、前記第１通信部が前記所定の情報を前記情報端末から受信した状態において、
前記第２通信部が前記照明制御システムにおける前記所定の操作部への操作に応じた所定の条件を満たす制御情報に基づいた信号を受信したとき、前記所定の操作部を特定するための情報を前記情報端末へ出力し、
当該信号を受信しなかったとき、前記所定の操作部を特定するための情報を前記情報端末へ出力しない、
請求項１〜３のいずれか１項に記載の照明制御用通信装置。
【請求項５】
前記所定の条件は、所定時間内における前記照明制御システムにおける操作部の操作回数を含む、
請求項４に記載の照明制御用通信装置。
【請求項６】
前記第２通信部は、前記第１通信部が前記所定の情報を前記情報端末から受信したとき、前記照明制御システムに対して、登録モードに移行させるための信号を送信する、
請求項１〜５のいずれか１項に記載の照明制御用通信装置。
【請求項７】
前記照明制御システムが前記登録モードに移行させるための信号を受信した場合、前記照明制御システムにおける操作部への操作がなされても、前記照明制御システムにおける制御対象の制御状態は変わらない、
請求項６に記載の照明制御用通信装置。
【請求項８】
請求項１〜７のいずれか１項に記載の照明制御用通信装置と、
前記照明制御システムと、を備える、
通信システム。
【発明の詳細な説明】
【技術分野】
【０００１】
本発明は、照明制御用通信装置および通信システムに関する。
【背景技術】
【０００２】
従来、親機、制御対象（照明器具）およびスイッチ等を備え、スイッチへの操作を親機が認識し、親機が制御対象を制御する照明制御システムが開示されている（例えば特許文献１）。このような照明制御システムによれば、親機がスイッチへの操作に基づく信号の内容を判断して、当該信号に含まれる宛先の制御対象へと信号を送信するため、制御対象とスイッチとを一対一に接続する配線が不要となる。これにより、例えば、大規模な建物において照明制御システムにおける配線を少なくすることができる。
【先行技術文献】
【特許文献】
【０００３】
【特許文献１】特開平０８−４７０６８号公報
【発明の概要】
【発明が解決しようとする課題】
【０００４】
近年、スマートフォンまたはタブレット等の情報端末が普及している。このため、照明制御システムにおける制御対象を、情報端末からも無線で制御したいという要望がある。これを実現するためには、情報端末に照明制御システムにおける制御対象が有するアドレス情報を認識させる必要がある。しかし、ユーザは、一般的に、照明制御システムにおける各制御対象がどのようなアドレス情報を有しているかを把握していないことが多い。このため、情報端末に手動でアドレス情報を入力することで、情報端末にアドレス情報を認識させようとする場合には、制御対象のアドレス情報を調べる等の手間がかかってしまう。このように、情報端末から照明制御システムを制御可能な状態にすることには手間がかかってしまう。
【０００５】
そこで、本発明は、情報端末から照明制御システムを制御可能な状態にすることを容易に行うことができる照明制御用通信装置等を提供することを目的とする。
【課題を解決するための手段】
【０００６】
本発明の一態様に係る照明制御用通信装置は、無線端末である情報端末と通信する第１通信部と、照明制御システムと通信する第２通信部と、を備え、前記第１通信部が所定の情報を前記情報端末から受信した状態において、前記第２通信部が前記照明制御システムにおける所定の操作部への操作に応じた制御情報に基づいた信号を前記照明制御システムから受信したとき、前記第１通信部は、前記所定の操作部を特定するための情報を前記情報端末へ出力する。
【０００７】
本発明の一態様に係る通信システムは、上記の照明制御用通信装置と、前記照明制御システムと、を備える。
【発明の効果】
【０００８】
本発明の一態様に係る照明制御用通信装置等によれば、情報端末から照明制御システムを制御可能な状態にすることを容易に行うことができる。
【図面の簡単な説明】
【０００９】
【図１】図１は、実施の形態に係る通信システムの一例を示す構成図である。
【図２】図２は、情報端末から照明制御システムを制御可能な状態にする際の全体処理の第１例を示すシーケンス図である。
【図３】図３は、実施の形態に係る第１通信部の動作の一例を示すフローチャートである。
【図４】図４は、情報端末から照明制御システムを制御可能な状態にする際の全体処理の第２例を示すシーケンス図である。
【発明を実施するための形態】
【００１０】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態）
以下、実施の形態について、図１から図４を用いて説明する。
【００１３】
［構成］
まず、実施の形態に係る通信システムの構成について図１を用いて説明する。
【００１４】
図１は、実施の形態に係る通信システム１の一例を示す構成図である。なお、図１には、通信システム１とルータ３００を介して接続する情報端末２００も示している。
【００１５】
通信システム１は、照明制御用通信装置１０および照明制御システム１００を備える。通信システム１は、例えば、住宅等の施設よりも大規模な非住宅建築物等の施設に適用された既存の照明制御システム１００が、照明制御用通信装置１０によって無線通信にも対応可能となったシステムである。通信システム１では、例えば、既存の照明制御システム１００における信号線１１０に照明制御用通信装置１０が接続されて、照明制御システム１００の機能が拡張されている。通信システム１によれば、情報端末２００から、無線で照明制御システム１００を制御可能となっている。なお、照明制御用通信装置１０を以下では単に通信装置１０とも呼ぶ。
【００１６】
ルータ３００は、通信装置１０およびその他の機器（ノートパソコン、ゲーム機等）を、インターネット等のネットワークに接続するための無線機である。また、ルータ３００は、無線ＬＡＮ（例えば、Ｗｉ−Ｆｉ（登録商標）等）のアクセスポイントでもある。情報端末２００は、ルータ３００を介して通信装置１０と無線通信する。
【００１７】
情報端末２００は、プロセッサ（マイクロプロセッサ）、メモリ、通信インタフェース、ユーザインタフェース（ディスプレイ、タッチパネル等）等を含むコンピュータであり、例えば、スマートフォンまたはタブレット等の携帯端末である。例えば、ユーザは、ルータ３００による無線ＬＡＮの届く範囲内において情報端末２００を用いることで、照明制御システム１００の制御が可能となる。
【００１８】
通信装置１０は、照明制御システム１００およびルータ３００に接続される例えばゲートウェイ装置である。通信装置１０は、無線端末である情報端末２００と通信する第１通信部１１と、照明制御システム１００と通信する第２通信部１２と、を備える。具体的には、通信装置１０と照明制御システム１００とが照明制御システム１００における信号線１１０によって接続されることで、第２通信部１２は、照明制御システム１００と通信する。また、通信装置１０とルータ３００とが有線（例えばイーサネット（登録商標）等）によって接続されることで、第１通信部１１は、情報端末２００とルータ３００を介して通信する。通信装置１０は、照明制御システム１００と通信装置１０との間のネットワーク、および、情報端末２００（ルータ３００）と通信装置１０との間のネットワークのように、互いにプロトコルの異なるネットワークを接続するためのネットワークノードとしての機能を有する。
【００１９】
通信装置１０は、プロセッサ（マイクロプロセッサ）、メモリ、通信回路、ユーザインタフェース等を含む装置である。メモリは、ＲＯＭ、ＲＡＭ等であり、プロセッサにより実行される制御プログラムを記憶することができる。第１通信部１１および第２通信部１２は、通信装置１０が有する通信回路等により実現され、通信装置１０が有するプロセッサがメモリに格納された制御プログラムを実行することにより、信号（情報）の送受信を行う。
【００２０】
照明制御システム１００は、伝送ユニット（伝送Ｕ）２０、スイッチ３０、ターミナルユニット（ＴＵ）４０、リレー５０ａ〜５０ｄおよび照明器具６０ａ〜６０ｄを備える。照明器具６０ａ〜６０ｄは、照明制御システム１００における制御対象である。なお、照明制御システム１００は、これらの機器の他にも、他のスイッチ、他のＴＵ、他の制御対象等が接続され得るが、図示を省略している。照明制御システム１００は、伝送Ｕ２０が中心となって（言い換えると、親機となって）、照明制御システム１００における制御対象である照明器具６０ａ〜６０ｄ等の制御が可能なシステムである。照明器具の制御とは、照明器具のオンオフ制御、調光制御、シーン制御、監視制御等のことである。シーン制御とは、照明器具の和室、洋室、寝室、書斎等の設置場所、朝、昼、夜、食事時間、団らん時間等の照明器具が使用される状況に応じて照明器具を調光調色制御することである。監視制御とは、照明器具の制御状態を監視することである。なお、これらの制御は、スイッチ３０への操作によって行うことができるが、後述するように、情報端末２００から照明制御システム１００を制御可能な状態になった後には、情報端末２００はスイッチ３０と同等の機能を有するようになるため、情報端末２００からもこれらの制御を行うことができるようになる。
【００２１】
照明制御システム１００では、例えば、時分割の多重伝送方式が採用されており、信号線１１０は、２線式の有線となっている。信号線１１０において、２線間の電位差によるパルス信号によって信号（情報）が伝送される。また、照明制御システム１００では、例えば、サイクリック伝送方式が採用されており、伝送Ｕから送信された信号は、信号線１１０に接続された全ての機器を通過していく。各機器は、当該信号の内容を確認し、内容に応じて当該信号を必要とする機器が当該信号を受信する。例えば、各機器は、当該信号に自身のアドレス情報が含まれている場合には当該信号を受信し、自身のアドレス情報が含まれていない場合には当該信号を無視する。このように、信号線１１０に接続された機器は、伝送Ｕ２０から送信された自身を宛先としない信号であっても、その内容を確認することができる。
【００２２】
このような照明制御システム１００によれば、制御対象とスイッチとを一対一に接続する配線が不要となる。具体的には、制御対象が８つある場合に、制御対象とスイッチとを一対一に配線接続するときには、少なくとも８本の電源線（もしくは信号線）および１本のグランド線が必要となるが、照明制御システム１００では、２線からなる信号線１１０のみでよい。これにより、例えば、大規模な建物において照明制御システムにおける配線を少なくすることができる。
【００２３】
伝送Ｕ２０は、通信システム１（照明制御システム１００が通信装置１０によって拡張されたシステム）において、中心となって動作する親機コントローラである。伝送Ｕ２０は、信号線１１０に接続された通信装置１０およびスイッチ３０からの信号をＴＵ４０に送信する。
【００２４】
スイッチ３０は、ユーザが照明器具６０ａ〜６０ｄの制御（オン、オフ、調光等）を行うために、通信装置１０が適用された施設の壁等に設けられた壁スイッチである。例えば、スイッチ３０は、図１に示されるように、４つの操作部３１ａ〜３１ｄを有している。各操作部は例えばオン状態及びオフ状態の２つの状態を有しており、ユーザに操作されることで各操作部に対応する照明器具をオンオフすることができる。
【００２５】
例えば、各操作部には、アドレス情報が対応付けられている。具体的には、操作部３１ａにはアドレス１５−１、操作部３１ｂにはアドレス１５−２、操作部３１ｃにはアドレス１５−３、操作部３１ｄにはアドレス１５−４が対応付けられている。アドレス１５−１は照明器具６０ａ、アドレス１５−２は照明器具６０ｂ、アドレス１５−３は照明器具６０ｃ、アドレス１５−４は照明器具６０ｄと関連付けられた情報でもあるが、これについては後述する。
【００２６】
ＴＵ４０は、伝送Ｕ２０から送信された信号をリレー５０ａ〜５０ｄへ送信する機器である。ＴＵ４０は、複数の端子を有し、当該複数の端子にリレー５０ａ〜５０ｄが接続されている。
【００２７】
リレー５０ａ〜５０ｄは、それぞれに接続された照明器具６０ａ〜６０ｄへの電力供給のオンおよびオフを切り替えるスイッチである。例えば、各リレーは、ＴＵ４０から電力供給をオンする指示を受けた場合、自身に接続された照明器具への電力供給をオンし、電力供給をオフする指示を受けた場合、自身に接続された照明器具への電力供給をオフする。なお、ＴＵ４０とリレー５０ａ〜５０ｄとは一体に形成されていてもよい。
【００２８】
照明器具６０ａ〜６０ｄは、例えば、施設におけるフロアの天井等に設けられる。各照明器具は、光源を備え、例えば、伝送Ｕ２０からの信号によって、光源の点灯および消灯の切り替え、並びに、調光率（明るさ）の変更が可能となっている。当該光源は、ＬＥＤ光源、有機ＥＬまたは蛍光灯等であるが、特に限定されない。
【００２９】
ここで、照明器具と関連付けられた情報について、アドレス１５−１に着目して説明する。例えば、アドレス１５−１における「１５」を負荷チャンネル、「１」を負荷ナンバーと呼ぶ。負荷チャンネル「１５」は負荷ナンバー「１」の上位となるものであり、言い換えると、負荷ナンバー「１」は負荷チャンネル「１５」の下位となるものである。例えば、ＴＵ４０には、負荷チャンネル「１５」が対応付けられている。なお、他のＴＵには、他の負荷チャンネルが対応付けられ得る。ＴＵ４０に接続されたリレー５０ａには負荷チャンネル「１５」下位の負荷ナンバー「１」が対応付けられている。リレー５０ｂ〜５０ｄについては、それぞれ負荷ナンバー「２」〜「４」が対応付けられている。
【００３０】
例えば、ユーザが操作部３１ａをオン状態とするように操作することで、スイッチ３０は、アドレス１５−１およびオン制御を示す制御情報を伝送Ｕ２０へ送信する。伝送Ｕ２０は、当該制御情報に基づいた信号を信号線１１０へ送出する。当該制御情報に基づいた信号には、負荷チャンネル「１５」が対応付けられた機器に当該信号を受信させるための情報、負荷チャンネル「１５」の下位の負荷ナンバー「１」をオンさせるための情報が含まれている。当該制御情報に基づいた信号が、負荷チャンネル「１５」が対応付けられたＴＵ４０に伝わることで、ＴＵ４０は、当該制御情報に基づいた信号の内容を確認して当該信号が自身宛ての信号であることを認識する。そして、ＴＵ４０は、当該制御情報に基づいた信号に従って、負荷チャンネル「１５」の下位の負荷ナンバー「１」が対応付けられたリレー５０ａへ、オンさせるための情報を送信する。これにより、リレー５０ａは照明器具６０ａへの電力供給をオンし、照明器具６０ａはオン状態となる。このように、アドレス１５−１が対応付けられた操作部３１ａが操作されることで、照明器具６０ａが制御されることになるため、アドレス１５−１は照明器具６０ａと関連付けられた情報となる。
【００３１】
同様に、操作部３１ｂが操作されることで照明器具６０ｂが制御され、操作部３１ｃが操作されることで照明器具６０ｃが制御され、操作部３１ｄが操作されることで照明器具６０ｄが制御される。
【００３２】
なお、１つの操作部に複数のアドレス情報が対応付けられてもよい。これにより、当該１つの操作部への操作によって、複数の照明器具を１つのグループとして、同じ制御をさせることができる。
【００３３】
［情報端末から照明制御システムを制御可能な状態にする処理：第１例］
近年、情報端末２００が普及しており、照明制御システム１００における制御対象を、情報端末２００からも無線で制御したいという要望がある。これを実現するためには、情報端末２００にスイッチ３０と同様の機能を持たせる必要があり、具体的には、情報端末２００に照明制御システム１００における制御対象に関連付けられた情報、つまりは、操作部に対応付けられたアドレス情報を認識させる必要がある。以下、通信装置１０を介して、情報端末２００から照明制御システム１００を制御可能な状態にする処理について説明する。
【００３４】
まず、情報端末２００から照明制御システム１００を制御可能な状態にする処理の第１例について説明する。
【００３５】
図２は、情報端末２００から照明制御システム１００を制御可能な状態にする際の全体処理の第１例を示すシーケンス図である。なお、図２には、当該状態になった後の通常動作時の処理も示している。
【００３６】
まず、情報端末２００は、情報端末２００から照明制御システム１００を制御可能な状態にするための設定モードに移行させる指示を通信装置１０に対して送信する（ステップＳ１１）。例えば、情報端末２００には、情報端末２００から照明制御システム１００を制御可能な状態にするためのアプリ（プログラム）が記憶されており、当該アプリによって、上記指示を通信装置１０に対して送信することができる。上記指示を、所定の情報とも呼ぶ。これにより、第１通信部１１が所定の情報を情報端末２００から受信した状態となる。当該状態では、通信装置１０（第２通信部１２）は、信号線１１０上を流れる信号について、自身宛てではない信号であっても受信でき、その内容を確認するようになる。
【００３７】
次に、ユーザは、情報端末２００によって制御したい所定の制御対象（照明器具）を操作するための所定の操作部（つまり、普段当該照明器具を制御する際に使用している操作部）を操作する。例えば、ここでは、ユーザは、照明器具６０ａ（所定の制御対象）を操作するための所定の操作部３１ａをオン状態とするように操作する。これにより、スイッチ３０は、操作部３１ａに対応付けられたアドレス１５−１およびオン制御を示す制御情報を伝送Ｕ２０へ送信する（ステップＳ１２）。なお、ステップＳ１２における所定の操作部への操作による制御対象への制御内容は、オン制御に限らない。少なくとも操作部３１ａに対応付けられたアドレス情報が伝送Ｕ２０に送信されればよく、制御対象への制御内容は、重要ではない（つまり何でもよい）ためである。
【００３８】
伝送Ｕ２０は、当該制御情報に基づいた信号を信号線１１０へ送出する（ステップＳ１３）。上述したように、ＴＵ４０は、当該信号に従ってリレー５０ａをオンすることでアドレス１５−１と関連付けられた照明器具６０ａをオンする。一方で、通信装置１０も、信号線１１０に接続されており、信号線１１０上を流れる当該制御情報に基づいた信号を受信する。このため、第２通信部１２が照明制御システム１００における所定の操作部３１ａへの操作に応じた制御情報に基づいた信号を照明制御システム１００から受信する。このとき、第１通信部１１は、所定の操作部３１ａを特定するための情報を情報端末２００へ出力する（ステップＳ１４）。
【００３９】
情報端末２００は、所定の操作部３１ａを特定するための情報を受信する。例えば、情報端末２００のディスプレイ等にユーザが操作した所定の操作部３１ａのアドレス情報を情報端末２００に登録するか否かを確認する確認画面が表示される。ユーザが当該アドレス情報を情報端末２００に登録することで、情報端末２００は所定の操作部３１ａを特定する。つまり、情報端末２００は、所定の操作部３１ａにより制御される照明器具６０ａを特定できるようになり、照明器具６０ａに対して、所定の操作部３１ａにより行われる制御と同等の制御を行うことができるようになる。所定の操作部３１ａを特定するための情報は、照明制御システム１００における所定の制御対象（照明器具６０ａ）と関連付けられた情報であり、具体的には、アドレス１５−１である。つまり、情報端末２００は、照明器具６０ａと関連付けられた情報（アドレス１５−１）によって、所定の操作部３１ａと同じように照明器具６０ａを制御できるようになる。
【００４０】
そして、情報端末２００は、通信装置１０における設定モードを解除する指示を通信装置１０に対して送信する（ステップＳ１５）。なお、通信装置１０における設定モードの解除は、スイッチ３０への操作等他の手段によって行われてもよい。
【００４１】
なお、例えば、第１通信部１１が所定の情報を情報端末２００から受信した状態において、予期しない操作部が操作されてしまうことがある。この場合、情報端末２００は、当該予期しない操作部と同等の機能を持つことになってしまう。これを回避するための方法について、図３を用いて説明する。
【００４２】
図３は、実施の形態に係る第１通信部１１の動作の一例を示すフローチャートである。
【００４３】
第１通信部１１は、第１通信部１１が所定の情報を情報端末２００から受信した状態において、第２通信部１２が照明制御システム１００における所定の操作部への操作に応じた所定の条件を満たす制御情報に基づいた信号を受信したか否かを判定する（ステップＳ１０１）。例えば、所定の条件は、所定時間内における操作部の操作回数を含む。所定時間は特に限定されないが、例えば、１０秒等である。操作回数は特に限定されないが、例えば、３回等である。つまり、例えば、第１通信部１１は、第２通信部１２が、１０秒以内に３回操作したことを示す情報を含む制御情報に基づいた信号を受信したか（つまり、ユーザが所定の操作部を１０秒以内に３回操作したか）否かを判定する。
【００４４】
第１通信部１１は、第２通信部１２が照明制御システム１００における所定の操作部の操作に応じた所定の条件を満たす制御情報に基づいた信号を受信したとき（ステップＳ１０１でＹｅｓ）、所定の操作部を特定するための情報を情報端末２００へ出力する（ステップＳ１０２）。一方で、第１通信部１１は、第２通信部１２が所定の条件を満たす制御情報に基づいた信号を受信しなかったとき（ステップＳ１０１でＮｏ）、所定の操作部を特定するための情報を情報端末２００へ出力しない（ステップＳ１０３）。なお、所定の条件を満たす制御情報に基づいた信号を受信しなかったときとは、何も信号を受信しなかったとき、および、所定の条件を満たさない制御情報に基づいた信号を受信したときのいずれであってもよい。
【００４５】
これにより、第１通信部１１が所定の情報を情報端末２００から受信した状態において、予期しない操作部が操作されたとしても、当該操作が所定の条件を満たしていなければ、情報端末２００は、所定の操作部を特定するための情報を受信せず、当該予期しない操作部と同等の機能を持ってしまうことを回避できる。
【００４６】
ステップＳ１１からステップＳ１５までの処理は、情報端末２００に、所定の操作部３１ａを特定するための情報を受信させる処理、具体的には、情報端末２００にアドレス１５−１を登録する際の処理であった。以下では、通常動作時の処理について説明する。
【００４７】
ユーザは、照明器具６０ａを消灯させるように情報端末２００を操作する。これにより、情報端末２００は、所定の操作部３１ａを特定するための情報を含む情報を通信装置１０へ送信する（ステップＳ１６）。具体的には、情報端末２００は、所定の操作部３１ａを特定するための情報を含む情報として、アドレス１５−１およびオフ制御を含む情報を通信装置１０へ送信する。
【００４８】
ステップＳ１４において第１通信部１１が所定の操作部３１ａを特定するための情報を出力した後において、第１通信部１１が情報端末２００から所定の操作部３１ａを特定するための情報を含む情報を受信したとき、第２通信部１２は、照明制御システム１００（伝送Ｕ２０）に対して、所定の操作部３１ａを特定するための情報に基づいた制御情報を出力する（ステップＳ１７）。
【００４９】
伝送Ｕ２０は、当該制御情報に基づいた信号を信号線１１０へ送出する（ステップＳ１８）。当該制御情報に基づいた信号には、所定の操作部３１ａを特定するための情報に含まれていた情報が含まれており、つまり、アドレス１５−１およびオフ制御を示す情報が含まれている。したがって、当該制御情報に基づいた信号には、ステップＳ１２およびステップＳ１３においてスイッチ３０が操作された際に伝送Ｕ２０から送出された制御情報に基づいた信号と同じように（ただし、オンおよびオフの違いはある）、負荷チャンネル「１５」が対応付けられた機器に当該信号を受信させるための情報、および、負荷チャンネル「１５」の下位の負荷ナンバー「１」をオフさせるための情報が含まれている。そして、ＴＵ４０は、リレー５０ａをオフすることでアドレス１５−１と関連付けられた照明器具６０ａをオフする。このように、操作部３１ａへの操作で行うことができる制御を、情報端末２００を用いて無線で行うことができる。
【００５０】
［情報端末から照明制御システムを制御可能な状態にする処理：第２例］
次に、情報端末２００から照明制御システム１００を制御可能な状態にする処理の第２例について説明する。
【００５１】
図４は、情報端末２００から照明制御システム１００を制御可能な状態にする際の全体処理の第２例を示すシーケンス図である。第２例では、第１例と異なる点を中心に説明し、第１例と同じ点については適宜説明を省略する。
【００５２】
例えば、情報端末２００から照明制御システム１００を制御可能な状態にするために、ユーザが所定の操作部を操作する際に、所定の制御対象（例えば照明器具）が点灯したり消灯したりして、他のユーザを不快にさせることがある。
【００５３】
そこで、第２例では、第２通信部１２は、ステップＳ１１において第１通信部１１が所定の情報を情報端末２００から受信したとき、照明制御システム１００（伝送Ｕ２０）に対して、登録モードに移行させるための信号を送信する（ステップＳ２１）。
【００５４】
照明制御システム１００（伝送Ｕ２０）は、登録モードに移行させるための信号を受信した場合、登録モードに移行する。具体的には、伝送Ｕ２０は、通常モードではスイッチ３０が操作されることでＴＵ４０に対して制御情報に基づいた信号を送信するが、登録モードでは、スイッチ３０が操作されてもＴＵ４０に対して制御情報に基づいた信号を送信しない。これにより、照明制御システム１００における操作部への操作がなされても、照明制御システム１００における制御対象（照明器具）の制御状態（点灯状態）が変わらないようにすることができる。
【００５５】
そして、第１例と同じように、ステップＳ１２において、スイッチ３０は、例えば操作部３１ａに対応付けられたアドレス１５−１およびオン制御を示す制御情報を伝送Ｕ２０へ送信する。伝送Ｕ２０は、当該制御情報に基づいた信号を信号線１１０へ送出するが、現在登録モードとなっているため、当該信号にはオン制御を示す情報が含まれていない。このため、ＴＵ４０は、照明器具６０ａをオンさせない。このように、情報端末２００から照明制御システム１００を制御可能な状態にするために、ユーザが所定の操作部３１ａを操作する際に、照明器具６０ａが点灯したり消灯したりしないため、他のユーザを不快にさせることを抑制できる。
【００５６】
また、情報端末２００から照明制御システム１００を制御可能な状態にした後に、ステップＳ１５において、通信装置１０における設定モードが解除される際に、例えば、通信装置１０は、照明制御システム１００の登録モードを解除する指示を照明制御システム１００（伝送Ｕ２０）に対して送信する（ステップＳ２２）。これにより、以降は、照明制御システム１００における操作部への操作がなされれば、照明制御システム１００における制御対象（照明器具）の制御状態（点灯状態）が変わるようにすることができる。なお、登録モードの解除は、スイッチ３０への操作等他の手段によって行われてもよい。
【００５７】
［効果等］
以上説明したように、本実施の形態に係る照明制御用通信装置１０は、無線端末である情報端末２００と通信する第１通信部１１と、照明制御システム１００と通信する第２通信部１２と、を備える。第１通信部１１が所定の情報を情報端末２００から受信した状態において、第２通信部１２が照明制御システム１００における所定の操作部への操作に応じた制御情報に基づいた信号を照明制御システム１００から受信したとき、第１通信部１１は、所定の操作部を特定するための情報を情報端末２００へ出力する。
【００５８】
これによれば、ユーザが情報端末２００に対して同等の機能を持たせたいと考えている所定の操作部を操作することで、所定の操作部を特定するための情報が情報端末２００へ出力される。所定の操作部を特定するための情報は、例えば、所定の操作部に対応付けられている制御対象（照明器具）を特定するための情報である。所定の操作部を特定するための情報が情報端末２００へ出力されることによって、情報端末２００は、所定の操作部に対応付けられている制御対象（照明器具）を特定できるようになる。また、制御対象（照明器具）をオンオフしたり調光制御したりするという所定の操作部が有する機能を情報端末２００に持たせることは一般的になされているため、情報端末２００が所定の操作部を特定、つまり、その制御対象を特定すれば、情報端末２００に所定の操作部と同等の機能（所定の操作部に対応付けられている制御対象を制御する機能）を持たせることができる。例えば、所定の操作部を特定するための情報をユーザが認識していなくても、ユーザは、普段使用している所定の操作部を操作するだけの簡単な操作で、情報端末２００に所定の操作部と同等の機能を持たせることができる。つまり、ユーザは、所定の操作部での制御と同様の制御を情報端末２００から無線で行うようにする場合、照明制御用通信装置１０へ所定の情報（設定モードへ移行させるための情報）を送信した後、普段用いている所定の操作部を操作するという、直感的な操作をするだけでよく、わざわざ所定の操作部を特定するための情報を調べる等の手間が不要となる。このように、本発明によれば、情報端末２００から照明制御システム１００を制御可能な状態にすることを容易に行うことができる。
【００５９】
また、所定の操作部を特定するための情報は、照明制御システム１００における所定の制御対象と関連付けられた情報であってもよい。
【００６０】
これによれば、ユーザが情報端末２００を用いて制御したいと考えている所定の制御対象を制御するための所定の操作部を操作することで、所定の制御対象と関連付けられた情報が情報端末２００へ出力される。所定の制御対象と関連付けられた情報によって、情報端末２００は、所定の制御対象を制御できるようになる。例えば、所定の制御対象と関連付けられた情報をユーザが認識していなくても、ユーザは、所定の制御対象を制御する際に普段使用している所定の操作部を操作するだけの簡単な操作で、情報端末２００を用いた所定の制御対象の制御が可能となる。つまり、ユーザは、所定の制御対象の制御を情報端末２００から無線で行うようにする場合、照明制御用通信装置１０へ所定の情報（設定モードへ移行させるための情報）を送信した後、所定の制御対象を制御する際に普段用いている所定の操作部を操作するという、直感的な操作をするだけでよく、わざわざ所定の制御対象と関連付けられた情報を調べる等の手間が不要となる。このように、情報端末２００から照明制御システム１００を制御可能な状態にすることを容易に行うことができる。
【００６１】
また、第１通信部１１が所定の操作部を特定するための情報を出力した後において、第１通信部１１が情報端末２００から所定の操作部を特定するための情報を含む情報を受信したとき、第２通信部１２は、照明制御システム１００に対して、所定の操作部を特定するための情報に基づいた情報を出力してもよい。
【００６２】
これによれば、情報端末２００から照明制御システム１００を制御可能な状態になった後には、情報端末２００は、照明制御用通信装置１０（第１通信部１１および第２通信部１２）を介して、所定の操作部への操作により行われる制御と同等の制御を行うことができる。
【００６３】
また、第１通信部１１は、第１通信部１１が所定の情報を情報端末２００から受信した状態において、第２通信部１２が照明制御システム１００における所定の操作部への操作に応じた所定の条件を満たす制御情報に基づいた信号を受信したとき、所定の操作部を特定するための情報を情報端末２００へ出力し、当該信号を受信しなかったとき、所定の操作部を特定するための情報を情報端末２００へ出力しなくてもよい。例えば、所定の条件は、所定時間内における照明制御システム１００における操作部の操作回数を含んでいてもよい。
【００６４】
例えば、第１通信部１１が所定の情報を情報端末２００から受信した状態において、予期しない操作部が操作されてしまうことがある。この場合、情報端末２００は、当該予期しない操作部と同等の機能を持つことになってしまう。そこで、所定の操作部の操作に応じた所定の条件を満たす制御情報（例えば、操作部が所定時間内に所定回数操作されたことを含む情報）に基づいた信号を受信したときだけ、所定の操作部を特定するための情報を情報端末２００へ出力するようにする。これにより、第１通信部１１が所定の情報を情報端末２００から受信した状態において、予期しない操作部が操作されたとしても、当該操作が所定の条件を満たしていなければ、情報端末２００は、所定の操作部を特定するための情報を受信せず、当該予期しない操作部と同等の機能を持ってしまうことを回避できる。
【００６５】
また、第２通信部１２は、第１通信部１１が所定の情報を情報端末２００から受信したとき、照明制御システム１００に対して、登録モードに移行させるための信号を送信してもよい。具体的には、照明制御システム１００が登録モードに移行させるための信号を受信した場合、照明制御システム１００における操作部への操作がなされても、照明制御システム１００における制御対象の制御状態は変わらなくてもよい。
【００６６】
これによれば、第１通信部１１が所定の情報を情報端末２００から受信した状態では、照明制御システム１００における操作部が操作されても照明制御システム１００における制御対象の制御状態を変わらなくすることができる。例えば、情報端末２００から照明制御システム１００を制御可能な状態にするために、ユーザが所定の操作部を操作する際に、所定の制御対象（例えば照明器具）が点灯したり消灯したりしないため、他のユーザを不快にさせることを抑制できる。
【００６７】
また、本実施の形態に係る通信システム１は、照明制御用通信装置１０と、照明制御システム１００と、を備える。
【００６８】
これによれば、情報端末２００から照明制御システム１００を制御可能な状態にすることを容易に行うことができる通信システムを提供できる。
【００６９】
（その他の実施の形態）
以上、実施の形態に係る照明制御用通信装置１０および通信システム１について説明したが、本発明は、上記実施の形態に限定されるものではない。
【００７０】
例えば、上記実施の形態では、第１通信部１１は、ルータ３００を介して間接的に情報端末２００と通信したが、これに限らない。例えば、第１通信部１１は、情報端末２００と、Ｂｌｕｅｔｏｏｔｈ（登録商標）等の通信方式により直接的に通信してもよい。
【００７１】
また、例えば、上記実施の形態では、所定の操作部を特定するための情報は、照明制御システム１００における所定の制御対象と関連付けられた情報であったが、これに限らない。
【００７２】
また、例えば、上記実施の形態では、第１通信部１１が所定の操作部を特定するための情報を出力した後において、第１通信部１１が情報端末２００から所定の操作部を特定するための情報を含む情報を受信したとき、第２通信部１２は、照明制御システム１００に対して、所定の操作部を特定するための情報に基づいた情報を出力したが、このような処理が行われなくてもよい。
【００７３】
また、例えば、上記実施の形態では、第１通信部１１は、第１通信部１１が所定の情報を情報端末２００から受信した状態において、第２通信部１２が照明制御システム１００における所定の操作部への操作に応じた所定の条件を満たす制御情報に基づいた信号を受信したとき、所定の操作部を特定するための情報を情報端末２００へ出力し、当該信号を受信しなかったとき、所定の操作部を特定するための情報を前記情報端末へ出力しなかったが、このような処理が行われなくてもよい。
【００７４】
また、例えば、上記実施の形態では、第２通信部１２は、第１通信部１１が所定の情報を情報端末２００から受信したとき、照明制御システム１００に対して、登録モードに移行させるための信号を送信したが、このような処理が行われなくてもよい。
【００７５】
また、本発明は、照明制御用通信装置１０および通信システム１として実現できるだけでなく、照明制御用通信装置１０および通信システム１を構成する各構成要素が行うステップ（処理）を含む方法として実現できる。
【００７６】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００７７】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００７８】
また、上記実施の形態の照明制御用通信装置１０および通信システム１に含まれる各構成要素は、専用または汎用の回路として実現されてもよい。
【００７９】
また、上記実施の形態の照明制御用通信装置１０および通信システム１に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００８０】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００８１】
さらに、半導体技術の進歩または派生する別技術によりＬＳＩに置き換わる集積回路化の技術が登場すれば、当然、その技術を用いて、照明制御用通信装置１０および通信システム１に含まれる各構成要素の集積回路化が行われてもよい。
【００８２】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００８３】
１  通信システム
１０  照明制御用通信装置（通信装置）
１１  第１通信部
１２  第２通信部
３１ａ〜３１ｄ  操作部
１００  照明制御システム
２００  情報端末
【図１】
2019204638.tif 000003
【図２】
2019204638.tif 000004
【図３】
2019204638.tif 000005
【図４】
2019204638.tif 000006